【事件の表示】
　特願２０１２−２２３９２７「会話補助端末」拒絶査定不服審判事件〔平成２６年５月１日出願公開、特開２０１４−７７８２２、請求項の数（４）〕について、次のとおり審決する。
【結　論】
　原査定を取り消す。
　本願の発明は、特許すべきものとする。
【理　由】
第１　手続の経緯
　本願は，平成２４年１０月９日の出願であって，平成２８年１０月１３日付けで拒絶理由通知がされ，平成２８年１２月６日付けで手続補正がされ，平成２９年４月１１日付けで拒絶査定（原査定）がされ，これに対し，平成２９年７月１２日に拒絶査定不服審判の請求がされたものである。
第２　現査定の概要
　原査定（平成２９年４月１１日付け拒絶査定）の概要は次のとおりである。
　本願請求項１乃至４に係る発明は，以下の引用文献１乃至４に基づいて，その発明の属する技術の分野における通常の知識を有する者（以下，「当業者」という。）が容易に発明できたものであるから，特許法第２９条第２項の規定により特許を受けることができない。
　引用文献等一覧
　１．特開２００２−２９７６４３号公報
　２．特開平８−１３７３８５号公報
　３．特開２００２−３６６５４５号公報
　４．特開２００８−２７６６１８号公報
　
　なお，上記拒絶査定では，上記引用文献１乃至４により請求項１を拒絶しているところ，平成２８年１０月１３日付け拒絶理由通知書では，上記引用文献１乃至３により請求項１を拒絶しており，両者に相違が認められるが，「第４　対比・判断」では，引用文献１乃至４により，請求項１が拒絶されたとして，以下検討する。
第３　本願発明
　本願請求項１乃至４に係る発明（以下，それぞれ「本願発明１」，「本願発明２」などという。）は，平成２８年１２月６日付けの手続補正で補正された特許請求の範囲の請求項１乃至４に記載された事項により特定される発明である。
　「【請求項１】
　発話困難者の代わりに会話で使用されるメッセージを音声出力する会話補助端末において，
　入力装置と，
　表示装置と，
　所定の施設における会話で使用されるメッセージを音声出力される順序に従って階層化したスクリプトを登録しておくスクリプト記憶部と，
　前記施設毎に，当該施設の位置情報と，当該施設で使用される前記スクリプトの識別子と，を含む施設情報を登録しておく施設情報記憶部と，
　前記会話補助端末の現在位置情報を取得する位置情報取得部と，
　前記位置情報取得部が取得した現在位置情報に基づき，前記施設情報記憶部を参照して当該会話補助端末が位置する施設を特定する施設判定部と，
　前記スクリプトの実行に際して，前記メッセージに関する情報を前記表示装置に表示する際のインタフェースであって，各メッセージに対応して前記表示装置に表示される表示画像を含むインタフェースを登録しておくインタフェース記憶部と，
　前記施設判定部が特定した施設に設定されている前記スクリプトに基づき，前記入力装置を介して前記表示装置に表示された前記表示画像が発話困難者により選択されると，当該表示画像に対応する前記メッセージを前記会話補助端末から音声出力させるスクリプト実行部と，を備えることを特徴とする会話補助端末。
　　【請求項２】
　前記表示画像は，前記表示装置に選択可能に表示されるアイコンボタンであり，
　前記スクリプト実行部は，前記入力装置により選択された前記アイコンボタンに対応する前記メッセージを音声出力することを特徴とする請求項１記載の会話補助端末。
　　【請求項３】
　前記アイコンボタンは，一つの画面内に連続する複数の階層の前記アイコンボタンが表示され，対応する前記メッセージの階層順にのみ選択可能であることを特徴とする請求項２記載の会話補助端末。
　　【請求項４】
　携帯端末に，発話困難者の代わりに会話で使用されるメッセージを音声出力させるための会話補助プログラムにおいて，
　所定の施設における会話で使用されるメッセージを音声出力される順序に従って階層化したスクリプトを前記携帯端末に登録しておくスクリプト記憶ステップと，
　前記施設毎に，当該施設の位置情報と，当該施設で使用される前記スクリプトの識別子と，を含む施設情報を前記携帯端末に登録しておく施設情報記憶ステップと，
　前記スクリプトの実行に際して，前記メッセージに関する情報を前記携帯端末の表示装置に表示する際のインタフェースであって，各メッセージに対応して前記表示装置に表示される表示画像を含むインタフェースを登録しておくインタフェース記憶ステップと，
　前記携帯端末の現在位置情報を取得する位置情報取得ステップと，
　前記位置情報取得ステップにおいて取得した現在位置情報に基づき，前記施設情報を参照して当該携帯端末が位置する施設を特定する施設判定ステップと，
　前記施設判定ステップにおいて特定した施設に設定されている前記スクリプトに基づき，前記携帯端末の入力装置を介して前記表示装置に表示された前記表示画像が発話困難者により選択されると，当該表示画像に対応する前記メッセージを当該携帯端末から音声出力させるスクリプト実行ステップと，を前記携帯端末に実行させることを特徴とする会話補助プログラム。」
　なお，平成２８年１２月６日付け手続補正による，補正後の請求項について，以下のとおり概略を述べる。
　請求項１と請求項４は独立形式の請求項であって，それぞれ末尾が「会話補助端末」，「会話補助プログラム」となっており，発明特定事項も，それらの末尾に合わせた記載となっているが，実質的な内容に相違はない。
　請求項２及び３は，それぞれ請求項１及び２を引用する，引用形式の請求項である。
第４　引用文献，引用発明等
　１．引用文献１について
　原査定の拒絶の理由に引用された引用文献１（特開２００２−２９７６４３号公報）には，図面とともに次の事項が記載されている。
　ア　「【０００１】
【発明の属する技術分野】本発明は，
何らかの事情で他人に情報を提示したい人を補助し，状況に応じた適切な情報を本人に代わって他人に提示するための情報提示装置に関する。
会話の不自由な人が他人に道順などを尋ねるとき
　イ　「【００１１】本形態に係る
情報提示装置
表示部３，操作入力部４，確定ボタン５，音声入力部６，およびスピーカ７が設けられている。
情報提示装置１の外部には，情報データベース２があり，相互に交信が可能である。なお，情報データベース２に相当するものを，情報提示装置１に内蔵していてもよい。また，情報提示装置１は，ＧＰＳ端末，あるいは，携帯電話の基地局からの信号を受信することにより，現在位置を検出できるようになっている。
【００１２】次に，本形態に係る情報提示装置１の動作について説明する。情報提示装置１は，ユーザが目的地に移動するまでの間に，または目的地に着いてから，何らかの質問をしたくなった場合に使用される。まず，
ユーザは，目的種類等に関わる情報を，操作入力部４または音声入力部６を用いて入力する。目的種類等に関わる情報とは，例えば，「デパートに行く」のような目的行動に関する情報である。この場合，「デパート」が目的地であり，目的の内容は「移動」である。情報提示装置１は，これらの情報が入力されると，自動的に目的地までの各ポイントを決定する。なお，決定したポイントは，手動により修正することも可能である。ここでいうポイントとは，質問文データを更新する場所のことである。
【００１３】次に，
ユーザは，質問をしたくなったとき，現在位置のポイントを操作入力部４または音声入力部６で選択し，確定ボタン５を押下する。情報提示装置１は，確定ボタン５が押下されると，質問文を情報データベース２から取得する。また，現在位置を自動検出して質問文を取得することとしてもよい。
ユーザが質問文を利用しやすくするために，取得した質問文の加工を行う。この加工処理には，グループ化や優先順位付け等がある。加工された質問文は，表示部３に表示される。最後に，ユーザが質問を選択し確定ボタン５を押下すると，スピーカ７より質問文を音声出力する。
　したがって，上記引用文献１には次の発明（以下，「引用発明１」という。）が記載されていると認められる。
　「会話の不自由な人など何らかの事情で他人に情報を提示したい人を補助し，状況に応じた適切な情報を本人に代わって他人に提示するための情報提示装置１において，
　表示部３，操作入力部４，確定ボタン５，音声入力部６，およびスピーカ７が設けられ，
　さらに，情報提示装置１は情報データベース２に相当するものを内蔵していてよく，また，ＧＰＳ端末，あるいは，携帯電話の基地局からの信号を受信することにより，現在位置を検出でき，
　ユーザは，目的種類等に関わる情報を，操作入力部４または音声入力部６を用いて入力し，情報提示装置１は，目的種類等に関わる情報が入力されると，自動的に目的地までの質問文データを更新する場所である各ポイントを決定し，
　ユーザは，質問をしたくなったとき，現在位置のポイントを操作入力部４または音声入力部６で選択するか，現在位置を自動検出させた後に，確定ボタン５を押下し，情報提示装置１は，確定ボタン５の押下に伴い，質問文を情報データベース２から取得し，ユーザが質問文を利用しやすくするために，取得した質問文の加工を行った後に表示部３に表示され，ユーザが質問を選択し確定ボタン５を押下すると，スピーカ７より質問文を音声出力する情報提示装置１。」
　２．引用文献２について
　また，原査定の拒絶の理由に引用された引用文献２（特開平８−１３７３８５号公報）には，図面とともに次の事項が記載されている。
　ウ　「【０００１】
【産業上の利用分野】
本発明は，言語機能や聴覚に障害を持つ利用者の会話を補助する携帯用の会話装置に関する
　エ　「【００１３】
【実施例】図１は本発明による実施例の会話装置の外観を表したものである。
会話装置１０１は，例文を表示するための表示画面１０２と，例文を音声合成したものを出力するためのスピーカ１０３を備えている。画面１０２は，液晶ディスプレイとタッチパネルを組み合わせた構成になっており，
画面１０２は，装置利用者のための表示領域１０４と，その会話相手のための表示領域１０５とに分割されており
【００１４】装置利用者用の表示領域１０４はさらに，場面／キーワード名やメッセージを表示する領域１０６と，例文やキーワードをテキスト形式で表示する領域１０７と，会話制御や場面選択のための画面上のメニューボタン等を表示する領域１０８から構成されている。会話相手側の表示領域１０５も，同様にメッセージ領域１０９，テキスト表示領域１１０，メニューボタン表示領域１１１を備えている。
【００１５】図２は，本会話装置の簡単なハードウェアである。
会話装置は，装置の制御を行うためのＣＰＵ２０１，プログラムやデータを保存するためのメモリ２０２，音声を出力するためのスピーカ２０３，例文等の表示を行うための液晶画面２０４，例文選択等の入力を得るためのタッチパネル２０５で構成されている。
【００１６】
メモリ２０２には，処理を制御するプログラム２０６および例文のデータ２０７が保存されており
【００１７】図３は，システム構成とデータの流れを示したものである。全体の処理は制御プログラム３０１によって制御されている。
制御プログラム３０１は，ドライバソフト３０２と呼ばれるハードウェアを直接制御するプログラムを呼び出すことによって画面の表示や例文の選択等の制御を行う。
音声出力ドライバ３０３は，制御プログラム３０１からの音声出力の命令を受けて，メモリ２０７より取り出した例文データから音声合成を行い，これをスピーカ２０３を通して出力する。画面表示ドライバ３０４は，制御プログラム３０１からの画面表示の命令を受けて，表示すべき例文の集合のデータをメモリ２０７から取り出し，これを液晶画面２０４に表示する。
　オ　「【００１９】図４は，場面「緊急」に含まれる例文を，装置利用者が選択しているときの画面を示したものである。
装置利用者用の表示領域１０４には，「緊急」という場面名４０１と，その場面に含まれる文章の候補である例文４０２から４０７が表示されている。なお，場面「緊急」は，「緊急」の場面選択ボタン４０８を選択することにより呼び出している。
【００２０】図４では，利用者の手４０９により，例文４０３「私の代わりに03−1234−5678に電話してください」が指先で押されている。この状態で選択しようとしている文章を確認できるように，例文４０３が白黒反転して表示される。なお，装置利用者が例文を選択している間は，会話相手用の表示領域１０５に，「これから話す文に答えてください」と，メッセージ４１０が表示される。
【００２１】
図５は，図４での例文の選択が完了したところである。指を離すと，選択した例文の内容が利用者用表示領域１０４と会話相手用表示領域１０５の両方に表示される（５０１，５０２）。また，この例文の内容が音声合成されてスピーカから発声され（５０３）
会話相手用表示領域１０５には例文「私の代わりに03−1234−5678に電話してください」に対する回答文の候補として，例文５０５「いいですよ」と例文５０６「今急いでいますので，電話できません」が表示される。ここで会話相手がそのうちの一つの例文を選択すると，その内容が装置利用者に伝えられて会話が成立する。会話相手からの回答にさらに回答文が登録されていれば（例えば，相手からの回答文「いいですよ」に対して，電話して伝えて欲しい内容やさらに詳しい情報等），さらに双方向の会話を続けて行うことができる。
　したがって，上記引用文献２には次の発明（以下，「引用発明２」という。）が記載されていると認められる。
　「言語機能や聴覚に障害を持つ利用者の会話を補助する携帯用の会話装置において，
　会話装置は，装置の制御を行うためのＣＰＵ２０１，プログラムやデータを保存するためのメモリ２０２，音声を出力するためのスピーカ２０３，例文等の表示を行うための液晶画面２０４，例文選択等の入力を得るためのタッチパネル２０５で構成され，
　液晶ディスプレイ２０４とタッチパネル２０５を組み合わせた構成である画面１０２は，装置利用者のための表示領域１０４と，その会話相手のための表示領域１０５とに分割されており，
　メモリ２０２には，処理を制御するプログラム２０６および例文のデータ２０７が保存され，
　制御プログラム３０１は，ドライバソフト３０２と呼ばれるハードウェアを直接制御するプログラムを呼び出すことによって画面の表示や例文の選択等の制御を行い，
　音声出力ドライバ３０３は，制御プログラム３０１からの音声出力の命令を受けて，メモリ２０７より取り出した例文データから音声合成を行い，これをスピーカ２０３を通して出力し，
　画面表示ドライバ３０４は，制御プログラム３０１からの画面表示の命令を受けて，表示すべき例文の集合のデータをメモリ２０７から取り出し，これを液晶画面２０４に表示するものであって，
　装置利用者用の表示領域１０４には，場面選択ボタン４０８を選択することにより呼び出される場面名４０１と，その場面に含まれる文章の候補である例文４０２から４０７が表示され，
　例文の選択が完了すると，選択した例文の内容が利用者用表示領域１０４と会話相手用表示領域１０５の両方に表示されるとともに，この例文の内容が音声合成されてスピーカから発声され，
　会話相手用表示領域１０５に，上記例文に対する回答文の候補が表示され，会話相手がそのうちの一つを選択すると，その内容が装置利用者に伝えられて会話が成立するものであって，
　会話相手からの回答にさらに回答文が登録されていれば，さらに双方向の会話を続けて行うことができる会話装置。」
　３．引用文献３について
　原査定の拒絶の理由に引用された引用文献１（特開２００２−３６６５４５号公報）には，図面とともに次の事項が記載されている。
　カ　「【０００１】
【発明の属する技術分野】本発明は，外国語会話支援装置に関し，より詳細には，
位置検出装置を備え，外国語会話支援装置が使用される空港，ホテル，病院等の場所の言語圏の言語に翻訳され且つその場所での会話文を自動的に選択する外国語会話支援装置に関する。
　キ　「【０００６】
【発明の実施の形態】以下，本発明の実施形態について説明する。図１は，本発明が適用される外国語会話支援装置としての携帯電話機の外観説明図であり，
携帯電話機１には，箱型ケース２０の上端２０Ａに引出し収納式のアンテナ２１が設けられており，前面２０Ｂには液晶ディスプレイからなる表示部２２と，操作キーからなる入力部２３が設けられている。また前面２０Ｂの上側内部には，スピーカ２４が，前面２０Ｂ下側内部にはマイク２５が収納されている。更に側面２０Ｃには，着脱自在なメモリ，例えばメモリスティック（登録商標：ソニー株式会社）２６を装着するためのスロット２７，イヤフォンジャック２８が設けられている。
【０００７】図２は，携帯電話機の内部概略構成図であり，
制御部３０は図示しないＣＰＵ，ＲＯＭ及びＲＡＭを備えており，ＲＯＭに予め格納されている基本プログラム及びアプリケーションをＲＡＭにロードし，ロードされた基本プログラムやアプリケーションに従って携帯電話機を制御する。
アンテナ３３，位置データ検出部３４は，本機が後述する外国語会話支援装置として機能するときの位置検出に使用するものであり，アンテナ３３は内蔵タイプのものが使用される。
　ク　「【００１２】更に前記
アプリケーションの起動によって，位置データ検出部３４が制御部３０に接続されて作動状態に入る。位置データ検出部３４は，ＧＰＳ（Global Positioning System）による自己位置検出装置であり，前記操作により携帯電話機が存在している位置の座標データを一定時間毎に把握しており，このデータにが制御部３０に供給されると，メモリスティック２６にロードされている言語地図データを参照し，現在地がどの言語圏に該当しているか，つまり，現在地で常用されている言語を判別し，言語判別情報を図示しないＣＰＵに供給する。この動作が常時行われることによりＣＰＵは自己位置で常用されている言語を判別することができる。同様に地図データを参照し，現在地判別情報をＣＰＵに供給することにより現在地がどの場所に該当しているか，つまり，空港，乗り物，ホテル等のいずれの場所であるか判別することができるため，当該言語に対応する当該場所における会話文例をメモリスティック２６から選択することができる。
対訳文例が自動的に表示部２２に表示される
　したがって，上記引用文献３には次の発明（以下，「引用発明３」という。）が記載されていると認められる。
　「位置検出装置を備え，外国語会話支援装置が使用される場所の言語圏の言語に翻訳され且つその場所での会話文を自動的に選択する外国語会話支援装置において，
　外国語会話支援装置としての携帯電話機であって，　
　該携帯電話機１には，液晶ディスプレイからなる表示部２２，操作キーからなる入力部２３，スピーカ２４，着脱自在なメモリであるメモリスティック２６を装着するためのスロット２７が設けられ，
　制御部３０はＣＰＵ，ＲＯＭ及びＲＡＭを備えており，ＲＯＭに予め格納されている基本プログラム及びアプリケーションをＲＡＭにロードし，ロードされた基本プログラムやアプリケーションに従って携帯電話機を制御するものであって，
　内蔵タイプのアンテナ３３，位置データ検出部３４は，外国語会話支援装置として機能するときの位置検出に使用され，　
　アプリケーションの起動によって，ＧＰＳ（Global Positioning System）による自己位置検出装置位置であるデータ検出部３４が制御部３０に接続されて作動状態に入り，
　携帯電話機が存在している位置の座標データを一定時間毎に把握し，このデータが制御部３０に供給されると，メモリスティック２６にロードされている言語地図データを参照し，現在地がどの言語圏に該当しているかを判別し，言語判別情報をＣＰＵに供給し，
　さらに，地図データを参照し，現在地判別情報をＣＰＵに供給することにより現在地がいずれの場所であるか判別することができるため，当該言語に対応する当該場所における会話文例をメモリスティック２６から選択することができ，
　対訳文例が自動的に表示部２２に表示される外国語会話支援装置。」
　４．引用文献４について
　原査定の拒絶の理由に引用された引用文献４（特開２００８−２７６６１８号公報）には，図面とともに次の事項が記載されている。
　ケ　「【００３３】
　図２は，携帯型翻訳機１のハードウェア構成を示す図である。
　図２を参照して，
携帯型翻訳機１は，当該携帯型翻訳機１の動作を全体的に制御する制御部１０を備えている。制御部１０は，ＣＰＵ（Central Processing Unit）を含む。また，携帯型翻訳機１は，ユーザが情報を入力する入力部１１と情報を表示する表示部１２を含む。入力部１１は，ボタン，表示部１２に表示されるタッチキーやタッチパネル，および／または，音声を入力するマイクを含む。また，携帯型翻訳機１は，音声を出力するためのＤ／Ａ変換部１３，出力アンプ１４，スピーカ１５を含む。
【００３４】
　また，
携帯型翻訳機１は，複数の言語の会話の例文および所定の言語対の辞書データおよび例文を記憶する辞書データ記憶部１６，会話の例文の音声データを記憶する音声データ記憶部１７，種々の情報を記憶する情報記憶部１８，および，インターネット等のネットワーク上のサーバやＧＰＳ衛星と通信を行なう通信部１９を含む。
　コ　「【００３６】
　
情報記憶部１８に格納されている情報には，制御部１０が実行する処理のプログラム，会話事例ＤＢ１０４，会話履歴ＤＢ１０８，および，情報変換用ＤＢ１１０が含まれる。
【００３７】
　携帯型翻訳機１では，制御部１０が情報記憶部１８に格納されるプログラムを適宜実行することによって，会話エンジン１０１および情報処理エンジン１０２が実現される。
【００３８】
　携帯型翻訳機１は，会話履歴ＤＢ１０８に，当該携帯型翻訳機１が出力した会話文に関する情報を記憶している。そして，
携帯型翻訳機１は，ユーザから会話文の出力を要求されると，その時点の時刻情報に応じた情報と関連付けられている会話文を出力する。
　サ　「【００４２】
　まず図３を参照して，
制御部１０は，まずステップＳ１０１で，通信部１９にＧＰＳ衛星と通信させることにより，自機の位置情報を取得する。
【００４３】
　次に，ステップＳ１０２で，
制御部１０は，現在位置の＜建物情報＞を取得する。
　シ　「【００８６】
　図７を参照して，会話候補文出力処理では，
制御部１０は，まずステップＳ５０１で，携帯型翻訳機１の現在の位置情報を取得する。
【００８７】
　次に，
制御部１０は，ステップＳ５０２で，会話履歴ＤＢ１０８に格納された各会話候補文の住所フィールド（表２参照）から，住所情報を取得する。
【００８８】
　次に，
制御部１０は，ステップＳ５０３で，時間帯変換テーブル１１０１から，位置情報と住所情報に基づいて時間帯変換情報を取得する。
　ス　「【００９１】
　次に，ステップＳ５０４では，
制御部１０は，会話履歴ＤＢ１０８に格納された各会話候補文の日時フィールド（表２参照）から，各会話候補文に関連付けられた時刻情報を取得し
【００９２】
　図８を参照して，ステップＳ５０５では，
制御部１０は，タイマ２０から現在の時刻情報を取得し
【００９３】
　ステップＳ５０６では，
制御部１０は，ステップＳ５０５で取得した現在時刻情報から，検索キーワードを生成し
　セ　「【０１０２】
　再度図８を参照して，ステップＳ５０６の後，
制御部１０は，ステップＳ５０７で，ステップＳ５０３で取得した時間帯変換情報を利用して，ステップＳ５０６で取得した検索キーワードを補正する
　したがって，上記引用文献４には次の発明（以下，「引用発明４」という。）が記載されていると認められる。
　「ＣＰＵを含む制御部１０と，ユーザが情報を入力する入力部１１と，情報を表示する表示部１２と，音声を出力するためのＤ／Ａ変換部１３，出力アンプ１４，スピーカ１５を含む携帯型翻訳機１において，
　複数の言語の会話の例文および所定の言語対の辞書データおよび例文を記憶する辞書データ記憶部１６，会話の例文の音声データを記憶する音声データ記憶部１７，制御部１０が実行する処理のプログラム，会話事例ＤＢ１０４，会話履歴ＤＢ１０８，および，情報変換用ＤＢ１１０が含まれる種々の情報を記憶する情報記憶部１８，および，インターネット等のネットワーク上のサーバやＧＰＳ衛星と通信を行なう通信部１９をさらに含み，
　携帯型翻訳機１は，ユーザから会話文の出力を要求されると，その時点の時刻情報に応じた情報と関連付けられている会話文を出力するものであって，
　制御部１０は，通信部１９にＧＰＳ衛星と通信させることにより，自機の位置情報を取得し，会話履歴ＤＢ１０８に格納された各会話候補文の住所フィールドから，住所情報を取得し，時間帯変換テーブル１１０１から，位置情報と住所情報に基づいて時間帯変換情報を取得し，会話履歴ＤＢ１０８に格納された各会話候補文の日時フィールドから，各会話候補文に関連付けられた時刻情報を取得し，現在時刻情報から，検索キーワードを生成し，時間帯変換情報を利用して，検索キーワードを補正する携帯型翻訳機。」
第５　対比・判断
　１．本願発明１について
　（１）対比
　本願発明１と引用発明１とを対比する。
　後者の「情報提示装置１」は，会話の不自由な人など何らかの事情で他人に情報を提示したい人を補助し，状況に応じた適切な情報を本人に代わって他人に提示するための装置であって，スピーカ７より質問文を音声出力するから，前者の「発話困難者の代わりに会話で使用されるメッセージを音声出力する会話補助端末」に相当する。
　後者の「操作入力部４，確定ボタン５，音声入力部６」は，前者の「入力装置」に相当する。
　後者の「表示部３」は，前者の「表示装置」に相当する。
　後者は「ＧＰＳ端末，あるいは，携帯電話の基地局からの信号を受信することにより，現在位置を検出」できるから，前者の「会話補助端末の現在位置情報を取得する位置情報取得部」に相当する構成を備えていることは自明である。
　したがって，本願発明１と引用発明１との間には，次の一致点，相違点があるといえる。
（一致点）
　「発話困難者の代わりに会話で使用されるメッセージを音声出力する会話補助端末において，
　入力装置と，
　表示装置と，
　前記会話補助端末の現在位置情報を取得する位置情報取得部とを備える会話補助端末。」
（相違点）
　相違点１：本願発明１は「所定の施設における会話で使用されるメッセージを音声出力される順序に従って階層化したスクリプトを登録しておくスクリプト記憶部」を有しているのに対し，引用発明１はそのような「スクリプト記憶部」を有するものではない点。
　相違点２：本願発明１の「施設情報記憶部」は，「施設毎に，当該施設の位置情報と，当該施設で使用される前記スクリプトの識別子と，を含む施設情報を登録」しているのに対し，引用発明１は「現在位置を自動検出」し，「質問文を情報データベース２から取得」しており，情報データベース２から取得された質問文は，自動検出された現在位置に適合するものであることは明らかであって，本願発明１の「施設毎に，当該施設の位置情報を含む施設情報を登録しておく施設情報記憶部」に相当する構成を備えているとまではいえるものの「スクリプトの識別子」を含まない点。
　相違点３：本願発明１の「施設判定部」は，「位置情報取得部が取得した現在位置情報に基づき，前記施設情報記憶部を参照して当該会話補助端末が位置する施設を特定」しているのに対し，引用発明１は，相違点２で述べたように「施設毎に，当該施設の位置情報を含む施設情報を登録しておく施設情報記憶部」に相当する構成を備えているから，本願発明１の「位置情報取得部が取得した現在位置情報に基づき，当該会話補助端末が位置する施設を特定する施設判定部」に相当する構成を備えているとまではいえるものの「スクリプトの識別子を含む施設情報記憶部」を参照するものではない点。
　相違点４：本願発明１の「インタフェース記憶部」は「スクリプトの実行に際して，前記メッセージに関する情報を前記表示装置に表示する際のインタフェースであって，各メッセージに対応して前記表示装置に表示される表示画像を含むインタフェースを登録」しておくものであるのに対し，引用発明１は「取得した質問文の加工を行った後に表示部３に表示」しているから，本願発明１の「メッセージに関する情報を前記表示装置に表示する際のインタフェースであって，各メッセージに対応して前記表示装置に表示される表示画像を含むインタフェースを登録しておくインタフェース記憶部」に相当する構成を備えているとまではいえるものの「スクリプトの実行」に係るものではない点。
　相違点５：本願発明１の「スクリプト実行部」は「施設判定部が特定した施設に設定されている前記スクリプトに基づき，前記入力装置を介して前記表示装置に表示された前記表示画像が発話困難者により選択されると，当該表示画像に対応する前記メッセージを前記会話補助端末から音声出力」させるものであるのに対し，引用発明１は「取得した質問文の加工を行った後に表示部３に表示され，ユーザが質問を選択し確定ボタン５を押下すると，スピーカ７より質問文を音声出力」しているから，本願発明１の「入力装置を介して前記表示装置に表示された前記表示画像が発話困難者により選択されると，当該表示画像に対応する前記メッセージを前記会話補助端末から音声出力」するに相当する構成を備えているとまではいえるものの「施設判定部が特定した施設に設定されている前記スクリプト」に基づくものではない点。
　（２）相違点についての判断
　事案に鑑みて，上記相違点２について先に検討する。
　引用発明２には「会話相手からの回答にさらに回答文が登録されていれば，さらに双方向の会話を続けて行うことができる」と記載されているところから，本願発明１における「会話で使用されるメッセージを音声出力される順序に従って階層化したスクリプトを登録しておくスクリプト記憶部」に相当する構成を有していることは認められるものの，引用発明２の回答文は「所定の施設」に対応したものではないから，「施設毎に，当該施設の位置情報と，当該施設で使用される前記スクリプトの識別子と，を含む施設情報を登録」しているものではない。
　引用発明３は「当該場所における会話文例をメモリスティック２６から選択」しているものの，該会話文例は階層化されたスクリプトではない。
　引用発明４は「ユーザから会話文の出力を要求されると，その時点の時刻情報に応じた情報と関連付けられている会話文を出力」し，「位置情報と住所情報に基づいて〜検索キーワードを補正」しているものの，該会話文は階層化されたスクリプトではない。
　したがって，引用文献２乃至４には，上記相違点２に係る本願発明の発明特定事項に関して，記載も示唆もない。
　そして，本願発明１は，上記相違点２に係る発明特定事項を備えることによって，「会話補助端末１０の位置情報に基づいて，発話困難者が位置している施設での使用に最適な会話のスクリプトが自動的に選択されるので，発話困難者が容易に会話補助機能を利用することができる。」（段落【００４１】）との作用効果を奏するものである。
　また，相違点２に係る本願発明１の発明特定事項が，本願出願前において周知技術であるともいえないし，当業者にとって設計的事項とする根拠もない。
　したがって，本願発明１は，他の相違点を検討するまでもなく，当業者であっても引用発明１乃至４に基づいて容易に発明できたものであるとはいえない。
　２．本願発明２，３及び４について
　本願発明２，３は，いずれも，本願発明１の「施設情報記憶部」という発明特定事項を備え，さらに他の発明特定事項を限定したものであるから，本願発明１と同じ理由により，当業者であっても，引用発明１乃至４に基づいて容易に発明できたものとはいえない。
　本願発明４は，本願発明１と末尾が異なるほかは，本願発明１と実質的内容に相違がないため，本願発明１と同じ理由により，当業者であっても，引用発明１乃至４に基づいて容易に発明できたものとはいえない。
第６　むすび
　以上のとおり，本願発明１乃至４は，当業者が引用発明１乃至４に基づいて容易に発明をすることができたものではない。
　したがって，原査定の理由によっては，本願を拒絶することはできない。
　また，他に本願を拒絶すべき理由を発見しない。
　よって，結論のとおり審決する。